(57)【要約】【課題】ストラップと付属品との取り外しが容易で、且つ付属品のストラップへの取り付けを強固にする。【解決手段】保持板８の回転軸１３で構成される軸着部とフック爪９との間に、保持板８を撓みやすくする肉抜き部１８を設ける。フック爪９と係止部１０とが係合した状態で、ストラップ３を介して保持板８に開き方向の力を加えた場合、保持板８の撓みによりフック爪９が係止部１０に係合する方向に付勢される。保持板８の軸着部に対してフック爪９よりも外側に位置するように、保持板８に指掛け片１９を一体に設ける。指掛け片１９の引き上げ操作によりフック爪９と係止部１０との係合が解除され、リモコン装置２がストラップ３から取り外される。【選択図】　　　　図３
2004037531.tif 000002
【特許請求の範囲】
【請求項１】
付属品本体に保持板を回動自在に軸着し、前記保持板に一体で設けたフック爪を、前記付属品本体に設けた係止部に係合させ、機器本体に連結されたストラップを付属品本体と保持板との間で挟持することにより、ストラップに付属品が固定されるようにした付属品取り付け装置において、
前記保持板の軸着部とフック爪との間に、保持板を撓みやすくする肉抜き部を設け、フック爪と係止部とが係合した状態で、ストラップを介して保持板に開き方向の力を加えた際に、保持板の撓みによりフック爪が係止部に係合する方向に付勢されることを特徴とする付属品取り付け装置。
【請求項２】
前記保持板の軸着部に対して前記フック爪よりも外側に位置するように、前記保持板に指掛け片を一体に設け、この指掛け片の引き上げ操作により前記フック爪と係止部との係合が解除され、前記付属品本体がストラップから取り外されることを特徴とする請求項１に記載の付属品取り付け装置。
【請求項３】
前記保持板の回動軸と直交する方向に対し、前記フック爪と指掛け片が略同一線上に設けられていることを特徴とする請求項２に記載の付属品取り付け装置。
【請求項４】
前記機器本体がカメラであり、前記付属品がカメラを遠隔操作するためのリモコン装置であることを特徴とする請求項１〜３のいずれかに記載の付属品取り付け装置。
【発明の詳細な説明】
【０００１】
【発明の属する技術分野】
本発明は、カメラなどの携帯して使用される機器本体のストラップに付属品を装着するための付属品取り付け装置に関する。
【０００２】
【従来の技術】
銀塩カメラやデジタルカメラのような携帯して使用される機器では、機器本体の携帯時に使用されるストラップに、リモコン装置などの付属品を着脱自在に取り付けておき、付属品に設けられた保持板を開放することによって付属品をストラップから取り外すようにしたものがある。
【０００３】
上記のような付属品は、保持板に設けたフック爪を付属品本体に設けた係止部に係合させ、ストラップを付属品本体と保持板との間で挟持することによりストラップに固定される。このような付属品取り付け装置には、必要なときにすぐ使用できるように、ストラップと付属品との取り外しが容易で、且つ落下による破損などの心配がないように、付属品のストラップへの取り付けが強固であることが要求される。
【０００４】
【発明が解決しようとする課題】
しかしながら、従来の付属品取り付け装置では、取り外しを容易にすると取り付けが弱くなり、逆に取り付けを強固にすると取り外しが困難となるので、上記２つの要求を同時に満たすことができなかった。
【０００５】
本発明は、ストラップと付属品との取り外しが容易で、且つ付属品のストラップへの取り付けが強固な付属品取り付け装置を提供することを目的とする。
【０００６】
【課題を解決するための手段】
上記目的を達成するために、本発明は、付属品本体に保持板を回動自在に軸着し、前記保持板に一体で設けたフック爪を、前記付属品本体に設けた係止部に係合させ、機器本体に連結されたストラップを付属品本体と保持板との間で挟持することにより、ストラップに付属品が固定されるようにした付属品取り付け装置において、前記保持板の軸着部とフック爪との間に、保持板を撓みやすくする肉抜き部を設け、フック爪と係止部とが係合した状態で、ストラップを介して保持板に開き方向の力を加えた際に、保持板の撓みによりフック爪が係止部に係合する方向に付勢されることを特徴とする。
【０００７】
なお、前記保持板の軸着部に対して前記フック爪よりも外側に位置するように、前記保持板に指掛け片を一体に設け、この指掛け片の引き上げ操作により前記フック爪と係止部との係合が解除され、前記付属品本体がストラップから取り外されることが好ましい。また、前記保持板の回動軸と直交する方向に対し、前記フック爪と指掛け片が略同一線上に設けられていることが好ましい。さらに、前記機器本体がカメラであり、前記付属品がカメラを遠隔操作するためのリモコン装置であることが好ましい。
【０００８】
【発明の実施の形態】
図１は、本発明を実施したカメラのリモコン装置を、ストラップに装着した状態を示したものである。付属品としてのリモコン装置２は、ストラップ３に固定される台座４と、台座４から取り外して使用されるリモコン本体５とからなる。リモコン本体５は、矢印方向にスライド操作させることにより台座４から着脱可能となっており、カメラにシャッタレリーズなどの操作信号を送信するための押ボタン６とＬＥＤ７とを備えている。台座４のリモコン本体５を収納する側と反対側の面には、保持板８が軸着されている。この保持板８と台座４との間にストラップ３を通して、保持板８のフック爪９（図２参照）を台座４の係止部１０（図２参照）に係合させることで、リモコン装置２がストラップ３に固定される。
【０００９】
図２に、台座４と保持板８の分解斜視図を示す。台座４には一対の軸受け突起１１が一体に設けられ、軸受け突起１１には軸受け穴１２が形成されている。保持板８には一対の回転軸１３が設けられている。保持板８は、回転軸１３を軸受け穴１２に嵌め込むことにより、台座４に回動自在に軸着される。
【００１０】
保持板８の両端部は、それぞれ対面する軸受け突起１１の端面と略同径の太径部１４となっている。一方、これらの太径部１４で挟まれた保持板８の中間部は、太径部１４よりも径が小さい細径部１５となっている。台座４には、軸受け面１６と凹部１７とが設けられている。軸受け面１６は、細径部１５の外周面に接して保持板８の回転を支持する。凹部１７は、軸受け面１６の両端側にそれぞれ形成され、台座４に保持板８を軸着する際に太径部１４が入り込む逃げとなっている。このような構造にすると、回転軸１３を突出させた部分の保持板８の端面と、軸受け突起１１の端面との間に段差が生じることがないので、製品の美観を損ねることがない。また、台座４の厚みが増加することがなく、リモコン本体２の収納スペースが制約を受けることもない。さらに、台座４の機械的強度と保持板８の軸着強度とを十分に保つことができる。
【００１１】
保持板８の回転軸１３で構成される軸着部とフック爪９との間には、保持板８を撓みやすくする肉抜き部１８が設けられている。この肉抜き部１８は、保持板８の厚みを他の部分よりも薄くすることで形成される。図３に示すように、保持板８が台座４に軸着され、フック爪９と係止部１０とが係合した状態で、ストラップ３を介して保持板８に開き方向の力を加えた場合、その力は保持板８の裏面とストラップ３との接触点Ｐに作用する。点Ｐに力が作用すると、肉抜き部１８によって保持板８がＸ方向、つまりフック爪９と係止部１０とが互いに食い込む方向に撓む。このように、保持板８の撓みによりフック爪９が係止部１０に係合する方向に付勢されるので、リモコン装置２のストラップ３への取り付けが強固となり、落下による破損などのおそれが無くなる。また、通常の状態（点Ｐに力が作用していない状態）でのフック爪９と係止部１０との係合量を小さく設定することができ、フック爪９と係止部１０との係合を容易に解除することが可能となる。
【００１２】
保持板８には、指掛け片１９が一体に設けられている。図３に示すように、この指掛け片１９は、保持板８の軸着部に対してフック爪９よりも外側に位置している。リモコン装置２をストラップ３から取り外す際には、指掛け片１９を引き上げてフック爪９と係止部１０との係合を解除する。このとき、肉抜き部１８を作用点として保持板８が図３のＹ方向、つまりフック爪９と係止部１０との係合が解除される方向に撓む。したがって、比較的小さい力でフック爪９と係止部１０との係合を容易に解除することができる。また、指掛け片１９は、一対の回転軸１３の軸方向と直交する方向に対し、フック爪９と略同一線上に設けられている。このようにすると、フック爪９と係止部１０との係合を解除するための力をさらに小さくすることができる。
【００１３】
なお、肉抜き部１８の形成方法としては、厚みを他の部分よりも薄くする方法の他に、図４に示すようなスリット状の凹部（Ａ）、（Ｂ）、離散的な凹部（Ｃ）、（Ｄ）、スリット状の穴（Ｅ）で形成してもよい。また、上記実施形態では、保持板に回転軸、台座に軸受け穴が設けられているが、逆に保持板に軸受け穴、台座に固定軸が設けられた場合についても本発明を適用することができる。さらに、上記実施形態では、ストラップに装着されるカメラのリモコン装置を例に挙げて説明したが、本発明はこれに限定されない。
【００１４】
【発明の効果】
以上のように、本発明の付属品取り付け装置によれば、保持板の軸着部とフック爪との間に、保持板を撓みやすくする肉抜き部を設け、フック爪と係止部とが係合した状態で、ストラップを介して保持板に開き方向の力を加えた際に、保持板の撓みによりフック爪が係止部に係合する方向に付勢されるので、ストラップと付属品との取り外しが容易で、且つ付属品のストラップへの取り付けを強固にすることができる。
【００１５】
また、保持板の軸着部に対してフック爪よりも外側に位置するように、保持板に指掛け片を一体に設け、この指掛け片の引き上げ操作によりフック爪と係止部との係合が解除され、付属品本体がストラップから取り外されるようにしたので、比較的小さな力でストラップと付属品との取り外しを行うことができる。
【図面の簡単な説明】
【図１】本発明を実施したカメラのリモコン装置をストラップに装着した状態を示す図である。
【図２】保持板と台座の分解斜視図である。
【図３】保持板と台座の断面図である。
【図４】肉抜き部の別の実施形態を示す図であり、（Ａ）は保持板の表面にスリット状の凹部を形成した例、（Ｂ）は保持板の裏面にスリット状の凹部を形成した例、（Ｃ）は保持板の表面に離散的な凹部を形成した例、（Ｄ）は保持板の裏面に離散的な凹部を形成した例、（Ｅ）はスリット状の穴を形成した例をそれぞれ示す。
【符号の説明】
２　リモコン装置（付属品）
３　ストラップ
４　台座
８　保持板
９　フック爪
１０　係止部
１２　軸受け穴
１３　回転軸
１８　肉抜き部
１９　指掛け片
【図１】
2004037531.tif 000003
【図２】
2004037531.tif 000004
【図３】
2004037531.tif 000005
【図４】
2004037531.tif 000006